(57)【要約】【課題】奥行方向に隣り合う一対の商品通路の間を１枚の仕切壁で仕切り、また、この仕切壁の下方に一対の商品排出装置が背中合わせの姿勢で配設されている自動販売機において、商品の搬送に支障を来したり、部品点数の増加を招いたりしないで、仕切壁の下端部と商品排出装置の上端部とを良好に接続することのできる自動販売機の商品収納搬送装置を提供する。【解決手段】側板８間の奥行方向に隣り合う一対の商品通路４の間を、上下方向に延びる１つの仕切壁９で仕切り、この仕切壁９の下端に前記１対の商品排出装置１１を奥行方向の前後に対して移動規制する共通の規制部５０を設け、各商品排出装置１１を規制部５０に対して下方から上方に差し込んで固定する固定部を設けた。【選択図】図１
2007233877.tif 000002
【特許請求の範囲】
【請求項１】
互いに対向して上下および奥行方向に延びる側板間において略上下方向に蛇行状に延びる商品通路を奥行方向に複数列並べて配設し、各商品通路毎に商品を収納して下方へ搬送し、商品通路の下端部間に背中合わせの姿勢で配設した奥行方向に対して前後となる一対の商品排出装置により、商品通路の最下位の商品を順番に下方に排出する最下位の商品を順番に下方に排出する自動販売機の商品収納搬送装置において、
側板間の奥行方向に隣り合う前後一対の商品通路の間を、上下方向に延びる１つの仕切壁で仕切り、
この仕切壁の下端に前記一対の商品排出装置を奥行方向の前後に対して移動規制する共通の規制部を設け、
各商品排出装置を規制部に対して下方から上方に差し込んで固定する固定部を設けたことを特徴とする自動販売機の商品収納搬送装置。
【請求項２】
仕切壁を、側面視して逆の向きに傾斜する略平板状の複数の仕切板状部を蛇行状に繋いで構成したことを特徴とする請求項１記載の自動販売機の商品収納搬送装置。
【請求項３】
仕切壁の下端部に、前記仕切壁に臨む前方の商品通路の商品を前方に、前記仕切壁に臨む後方の商品通路の商品を後方にそれぞれ誘導する傾斜面を設けた単一の商品誘導部材を設け、
前記商品誘導部材に前方の商品通路の商品排出装置と後方の商品通路の商品排出装置とを奥行方向に移動規制する共通の規制部を、前後の傾斜面の下端部を接続する下面に設け、
各商品排出装置に規制部に対し下方から上方に差し込んで固定する固定部を設けたことを特徴とする請求項１または２に記載の自動販売機の商品収納搬送装置。
【請求項４】
仕切壁に臨む前方の商品通路に突出して商品を案内する案内面と仕切壁に臨む後方の商品通路に突出して商品を案内する案内面とを有する板ばねからなるガイド材を設け、
このガイド材を、その弾性力により規制部に下側から外装するように装着し、更にその外側に対して各商品排出装置の固定部を下方から上方に差し込んで固定する構成としたことを特徴とする請求項１〜３の何れか１項に記載の自動販売機の商品収納搬送装置。
【発明の詳細な説明】
【技術分野】
【０００１】
本発明は自動販売機の商品収納搬送装置に関するものである。
【背景技術】
【０００２】
略上方から下方に蛇行状に延びる商品通路に商品を収納して下方へ搬送し、商品通路の下端部間に配設した商品排出装置により、商品通路の最下位の商品を順番に下方に排出する、いわゆるサーペンタイン式の自動販売機は既に知られている。
【０００３】
従来のサーペンタイン式の自動販売機においては、円弧状に大きく湾曲する固定セグメントを商品通路の前面側と後面側との各面においてそれぞれ繋がるように上下に並べて前面側搬送壁面と後面側搬送壁面とを構成し、これらの間の商品通路を前後に蛇行する形状に形成している。そして、商品通路に商品が補充されて下方に流れ落ちて搬送される際に、その落下エネルギーを搬送壁面の蛇行部分で受けることにより、適正な姿勢で搬送されるように制御したり、落下衝撃を緩和したりしていた。
【０００４】
しかし、近年、自動販売機の薄型化の要望に応えるべく、商品通路において前後に蛇行する寸法をあまり大きく取れなくなって、セグメントの湾曲寸法を小さくしなければならなくなってきている。これに対処すべく、落下衝撃を吸収する別途方法として、特許文献１などに開示されているように、商品通路の片方の搬送壁面に、ばね等の付勢手段により商品通路内に積極的に突出するように付勢された可動セグメントを回動自在に配設して、商品通路内を商品が通過する際に、商品を、ばねで付勢された前記可動セグメントで受けることで、商品の落下衝撃力を減少させたり、姿勢を制御したりする構造が既に用いられている。
【０００５】
また、自動販売機の薄型化を図る構造として、特許文献２に開示されているように、奥行方向に隣り合う一対の商品通路の間を１枚の仕切壁で仕切り、この仕切壁の前面部分で、手前側の商品通路の奥側壁面部をなすとともに、仕切壁面の背面部分で、奥側の商品通路の手前側壁面部をなす構造が提案されている。このように、一対の商品通路間を１枚の仕切壁で仕切る構造によると、従来においては、一対の商品通路間に２つの搬送用壁面体が必要であったのに比べて、これらが１枚の仕切壁で済むため、前記２つの搬送用壁面体間の奥行方向の隙間が発生しない分だけ、省スペース化を図ることができる。さらに、１枚の仕切壁で２つの搬送壁面部を兼用できるため、コストダウンできる効果もある。
【０００６】
ここで、前記特許文献２に開示されている仕切壁は、側面視して上下方向に沿って千鳥状に配設したシャフト間に、板状の通路形成部材を、シャフトとの係合箇所が谷部となるように、側面視して蛇行状（いわゆるジグザグ形状）に屈曲させて配置することにより構成している。
【０００７】
ところで、仕切壁の下端部の直下位置には、一対の商品排出装置が背中合わせの姿勢で配設されている。これらの商品排出装置は駆動源や機構部品が内蔵された構造であるため、薄型化を図ったとしても、ある程度の厚み寸法を必要とする。これに対して、上記した仕切壁は、その構造上、厚み寸法をあまり必要とせず、小さいため、仕切壁の下端部と商品排出装置の上端部とをどのような接続構造とすると、支障を来したり、部品点数の増加を招いたりしないで良好に接続できるかが課題となる。なお、特許文献２においては、その図１や図４において、仕切壁の下端部を、一対の商品排出装置（図面においては、一対の商品排出装置全体を簡略的に１つの長方形で図示している）の上辺の一端部に接続し、仕切壁の下端部近傍の谷部と一対の商品排出装置の上辺の他端部とを別途のガイド部材を設けて接続した（案内した）構造が示されているが、詳細には示されていない。
【０００８】
また、商品排出装置の上端部と下端部とが配設される箇所には、特許文献３等に開示されているように、商品排出装置を側板間で所定の位置に支持して位置規制するための、規制用上ロッドと規制用下ロッドとをそれぞれ側板に取り付けて固定している。
【特許文献１】特開平５−２７４５４２号公報
【特許文献２】特開平８−７７４４６号公報
【特許文献３】特開２００２−１８３８１９号公報
【発明の開示】
【発明が解決しようとする課題】
【０００９】
上記したように、奥行方向に隣り合う一対の商品通路の間を１枚の仕切壁で仕切った自動販売機においては、商品の搬送に支障を来したり、部品点数の増加を招いたりしないで、仕切壁の下端部と商品排出装置の上端部とをどのようにして良好に接続するかが課題となる。
【００１０】
本発明は、上記課題を解決するもので、奥行方向に隣り合う一対の商品通路の間を１枚の仕切壁で仕切り、また、この仕切壁の下方に一対の商品排出装置が背中合わせの姿勢で配設されている自動販売機において、商品の搬送に支障を来したり、部品点数の増加を招いたりしないで、仕切壁の下端部と商品排出装置の上端部とを良好に接続することのできる自動販売機の商品収納搬送装置を提供することを目的とするものである。
【課題を解決するための手段】
【００１１】
上記課題を解決するために本発明は、互いに対向して上下および奥行方向に延びる側板間において略上下方向に蛇行状に延びる商品通路を奥行方向に複数列並べて配設し、各商品通路毎に商品を収納して下方へ搬送し、商品通路の下端部間に背中合わせの姿勢で配設した奥行方向に対して前後となる一対の商品排出装置により、商品通路の最下位の商品を順番に下方に排出する最下位の商品を順番に下方に排出する自動販売機の商品収納搬送装置において、側板間の奥行方向に隣り合う前後一対の商品通路の間を、上下方向に延びる１つの仕切壁で仕切り、この仕切壁の下端に前記１対の商品排出装置を奥行方向の前後に対して移動規制する共通の規制部を設け、各商品排出装置を規制部に対して下方から上方に差し込んで固定する固定部を設けたことを特徴とする。
【００１２】
このように、仕切壁の下端に続くように、各商品排出装置の固定部を固定する規制部を一体形成したことにより、商品通路内の商品を商品通路の下端部（商品排出装置に臨む箇所）まで支障無く導くことができる。また、仕切壁の下端に設けた共通の規制部に、各商品排出装置の固定部を下方から上方に差し込んで固定することにより、少ない部品点数で各商品排出装置を良好に位置規制することができる。
【００１３】
また、本発明は、仕切壁を、側面視して逆の向きに傾斜する略平板状の複数の仕切板状部を蛇行状に繋いで構成したことを特徴とする。
また、本発明は、仕切壁の下端部に、前記仕切壁に臨む前方の商品通路の商品を前方に、前記仕切壁に臨む後方の商品通路の商品を後方にそれぞれ誘導する傾斜面を設けた単一の商品誘導部材を設け、前記商品誘導部材に前方の商品通路の商品排出装置と後方の商品通路の商品排出装置とを奥行方向に移動規制する共通の規制部を、前後の傾斜面の下端部を接続する下面に設け、各商品排出装置に規制部に対し下方から上方に差し込んで固定する固定部を設けたことを特徴とする。
【００１４】
この構成により、単一の商品誘導部材に設けた前面側の傾斜面により前方の商品通路の商品を前方に誘導し、前記商品誘導部材に設けた後面側の傾斜面により後方の商品通路の商品を後方に誘導することができ、前方の商品通路の商品を前方に誘導する案内部品と後方の商品通路の商品を後方に誘導する案内部品とをそれぞれ個別に設けた場合に比べて部品点数を削減でき、また、この単一の商品誘導部材の前後の傾斜面の下端部を接続する下面に共通の規制部を設けたので、さらに、個別に規制部を設けた場合よりも部品点数を削減できる。
【００１５】
また、本発明は、仕切壁に臨む前方の商品通路に突出して商品を案内する案内面と仕切壁に臨む後方の商品通路に突出して商品を案内する案内面とを有する板ばねからなるガイド材を設け、このガイド材を、その弾性力により規制部に下側から外装するように装着し、更にその外側に対して各商品排出装置の固定部を下方から上方に差し込んで固定する構成としたことを特徴とする。
【００１６】
この構成により、商品通路に導入された商品をガイド材の案内面によって案内させることができ、また、単一のガイド材で前方の商品通路の商品と後方の商品通路の商品とをそれぞれ案内できて、案内面を有するガイド材を個別に設けた場合よりも部品点数を削減できる。また、ガイド材をその弾性力を利用して装着できるように構成したことにより、取り付け構造も簡単となる。さらに、商品通路に商品が殆どない状態で投入された際に、商品通路の下端部に商品が斜めになりそうな姿勢で流れ込んできた場合でも、前記板ばねからなるガイド材の弾性力により前記商品の姿勢を水平な姿勢に良好に矯正することができ、商品が立った状態で収納されてしまう、いわゆる商品立ちを防止することができる。また、ガイド材を規制部に取り付けた状態で、その後に手探りで商品排出装置を下方から挿入して取り付ける際に、ガイド材の下面側に商品排出装置を沿わせるようにして持ち上げることで、このガイド材によって商品排出装置が取り付け位置まで良好に案内されて容易に組付けることができる。
【発明の効果】
【００１７】
本発明によれば、側板間の奥行方向に隣り合う前後一対の商品通路の間を、上下方向に延びる１つの仕切壁で仕切り、この仕切壁の下端に一対の商品排出装置を奥行方向の前後に対して移動規制する共通の規制部を設け、各商品排出装置を規制部に対して下方から上方に差し込んで固定する固定部を設けたことにより、仕切壁の下端を、一対の商品排出装置を規制する共通の規制部として兼用することができ、この結果、少ない部品点数で各商品排出装置を良好に位置規制することができる。
【００１８】
また、仕切壁の下端部に、前方の商品通路の商品を前方に、後方の商品通路の商品を後方にそれぞれ誘導する傾斜面を設けた単一の商品誘導部材を設け、前記商品誘導部材に前方の商品通路の商品排出装置と後方の商品通路の商品排出装置とを奥行方向に移動規制する共通の規制部を、前後の傾斜面の下端部を接続する下面に設け、各商品排出装置に規制部に対し下方から上方に差し込んで固定する固定部を設けたことにより、単一の商品誘導部材に設けた前面側の傾斜面と後面側の傾斜面により前方の商品通路の商品を前方に誘導し、また、後方の商品通路の商品を後方に誘導することができて、前方の商品通路の商品を前方に誘導する商品誘導部材と後方の商品通路の商品を後方に誘導する商品誘導部材とをそれぞれ個別に設けた場合に比べて部品点数を削減できる。
【００１９】
また、本発明は、前方の商品通路に突出して商品を案内する案内面と後方の商品通路に突出して商品を案内する案内面とを有する板ばねからなるガイド材を設け、このガイド材を、その弾性力により規制部に下側から外装するように装着し、更にその外側に対して各商品排出装置の固定部を下方から上方に差し込んで固定する構成としたことにより、商品通路に導入された商品をガイド材の案内面によって案内させることができ、また、単一の板ばねで前方の商品通路の商品と後方の商品通路の商品とをそれぞれ案内できて、案内面を有するガイド材を個別に設けた場合よりも部品点数を削減できる。また、弾性力を利用して装着できるように構成したことにより、取り付け構造も簡単となる。
【００２０】
この構成により、商品通路に導入された商品をガイド材の案内面によって案内させることができ、また、単一のガイド材で前方の商品通路の商品と後方の商品通路の商品とをそれぞれ案内できて、案内面を有するガイド材を個別に設けた場合よりも部品点数を削減できる。また、ガイド材をその弾性力を利用して装着できるように構成したことにより、取り付け構造も簡単となる。さらに、商品通路に商品が殆どない状態で投入された際に、商品通路の下端部に商品が斜めになりそうな姿勢で流れ込んできた場合でも、板ばねからなるガイド材の弾性力により商品の姿勢を水平な姿勢に良好に矯正することができ、商品が立った状態で収納されてしまう、いわゆる商品立ちを防止することができ、この結果、信頼性を向上させることができる。また、ガイド材を規制部に取り付けた状態で、その後に手探りで商品排出装置を下方から挿入して取り付ける際に、ガイド材の下面側に商品排出装置を沿わせるようにして持ち上げることで、このガイド材によって商品排出装置が取り付け位置まで良好に案内されて容易に組付けることができて、便利であり作業能率も向上する。
【発明を実施するための最良の形態】
【００２１】
以下、本発明の実施の形態を図面に基づき説明する。
図１は、本発明の実施の形態に係る自動販売機の商品収納搬送装置が設けられている商品収納部の全体側面断面図である。商品収納部は、自動販売機における前面扉を開閉自在に支持する自動販売機本体において外部と断熱された空間である庫内に配設されている。
【００２２】
図１に示すように、商品収納部１の上部手前側には商品２（図２参照）を投入する投入口３が設けられているとともに、この投入口３が設けられている手前側箇所から奥側に向けて、斜め下方に傾斜する傾斜導入路５が設けられており、この傾斜導入路５の奥端部である接続部７を介して、奥側で上下に蛇行状に延びる商品通路４における上端の入口部分に接続されている。傾斜導入路５の底面部（片側の側面部も一体的に設けてもよい）は導入ガイド６により形成されており、投入口３から投入された商品２は、導入ガイド６上（傾斜導入路５）を流れながら、あるいは転動しながら奥側に送られ、その後、接続部７を介して商品通路４内に導入されるようになっている。これらの傾斜導入路５や商品通路４はその両側に立設された側板８間に跨って配設されている。
【００２３】
商品通路４は奥行方向に複数列（この実施の形態においては、６列）並べて配設されており、商品通路４は、奥行方向（図１における左右方向）に隣接する２つの（前後の）商品通路４で対となるように配置されている。側板８間の奥行方向に隣り合う対となった商品通路４の間は、所定幅で上下方向に延びる１つの仕切壁９で仕切られている。また、商品通路４の下端部間、すなわち、仕切壁９の下方には、仕切壁９の下端部に続くようにして、一対の商品排出装置１１が互いに背中合わせの状態で配設されており、商品排出装置１１によって、商品通路４の商品２が順次下方から１つずつ払い出されるよう構成されている。
【００２４】
また、特に本発明においては、仕切壁９の下端に、一対の商品排出装置１１を奥行方向の前後（図１における左右方向）に対して移動規制する共通の規制部５０を設けている。そして、各商品排出装置１１には、規制部５０に対して下方から上方に差し込んで固定する固定部５１（図３参照）が設けられている。なお、図３においては、前方寄り（図３における右寄り）の商品排出装置１１については、簡略的な断面を示している。
【００２５】
図１、図２に示すように、商品通路４を挟んで仕切壁９と対向する搬送壁面部１２は、商品通路４内に出退自在の可動セグメント１３と、所定位置に固定されて、その下端部で可動セグメント１３の上端部を回動自在に支持する固定セグメント１４とを交互に上下に複数並べて構成している。
【００２６】
図２、図４に示すように、仕切壁９は、側面視して湾曲するとともにその湾曲中心２１ａが側面視して斜め上方に向く姿勢となる湾曲部２１が設けられた複数の同一形状の仕切板状部２０を、上下に隣り合う仕切板状部２０同士が側面視して逆の向きに傾斜するように、形状が不連続となる不連続形状部２２を介して、交互に接続して、蛇行状、いわゆるジグザグ状に繋いだ配置構成としている。
【００２７】
そして、例えば、２つの仕切板状部２０をそれぞれ不連続形状部２２によって接続させてなる１枚の仕切壁面体９Ａを、上下に４つ繋げて仕切壁９を構成している。なお、これに代えて、図５に示すように、４つ（または６つ或いは３つ）の仕切板状部２０をそれぞれ不連続形状部２２によって接続させてなる１枚の仕切壁面体９Ｂを、例えば上下に２つ繋げて仕切壁９を構成したり、各仕切板状部２０毎に別体の仕切壁面体（図示せず）で構成したりしてもよい。
【００２８】
なお、この実施の形態においては、図４（ｂ）、図５（ｂ）に示すように、仕切壁面体９Ａ、９Ｂの上下両端部に設けられている不連続形状部２２と、各仕切板状部２０における湾曲部２１近傍箇所との、各左右両端部が、横方向（幅方向）に突出するように形成されており、これらの左右両端部に設けられた突出片部２７、２８が、側板８に形成された係合孔８ａ、８ｂに差し込まれて係合させることで、側板８間に支持されている。
【００２９】
図６（ｂ）に示すように、搬送壁面部１２の固定セグメント１４はその幅方向端部に形成された複数の係止爪１４ａが側板８に形成された孔部８ｃから突出するように係止されて、側板８間に挟まれた状態で所定位置に固定されている。図２、図６に示すように、その上端部は、上方に位置する可動セグメント１３の端部を良好に受けることができるように逆Ｕ字形状に湾曲され、固定セグメント１４の上部は、この前記Ｕ字形状部１４ｂより下方に延ばされた平板形状部１４ｆとされている。一方、固定セグメント１４の下部は略三角形状に商品通路４側に突出され、この三角形状に突出した突出角部１４ｃの底辺部分から下方に延びる下延部１４ｅに、切り起こし部１４ｄが形成され、この切り起こし部１４ｄに、図７に示す可動セグメント１３の上端に形成されたボス部１３ａの孔に挿通されて可動セグメント１３を回動自在に支持する支持軸２４が嵌め込まれている。そして、支持軸２４に外嵌された付勢ばね２５によって、可動セグメント１３が商品通路４内に突入するように付勢されている。
【００３０】
ここで、図２において仮想線で示すように、可動セグメント１３は商品２が収納されていない状態では、その先端部を可動セグメント１３の回転中心よりやや上方位置であり突出角部１４ｃの底辺を商品通路４側に延長した位置の近傍で停止するように規制ならびに付勢されている。そして、この際、可動セグメント１３は下方向に浅く湾曲した形状とされ、ほぼ水平に近い姿勢（略水平姿勢）で保持される。
【００３１】
また、図２において実線で示すように、可動セグメント１３が商品通路４を開く方向に回動したときには、可動セグメント１３の先端部１３ｂの外側部分（商品通路４に臨む部分と反対側の部分）が固定セグメント１４のＵ字形状部１４ｂの内側部分（商品通路４に臨む部分）に当接して停止するように構成されている。また、このときの可動セグメント１３の幅方向両端の鍔部における外側端部１３ｃと、固定セグメント１４のＵ字形状部１４ｂの外側部分（商品通路４に臨む部分と反対側の部分）１４ｂ’とは、奥行方向に関してほぼ同一位置とされている（すなわち、このときに、固定セグメント１４の外側部分１４ｃのほぼ真上に可動セグメント１３の外側端部１３ｃが位置するように配置されている）。
【００３２】
また、図２に示すように、１つの固定セグメント１４とこの固定セグメント１４により支持された可動セグメント１３とからなる１組のセグメント１３、１４で実質的に搬送壁面部１２をなす上下方向の寸法Ｌと、不連続形状部２２を介して上下につながる２つの仕切板状部２０によって実質的に仕切壁９をなす上下方向の寸法Ｍとは同一とされている。そして、前記寸法Ｌの値は、商品通路４の通路幅寸法（その商品通路に適合する最大径の商品寸法と余裕寸法の和算値）Ｎの略２倍とされている。
【００３３】
また、同じ仕切壁９に対向して、一方（例えば図２における左側）の商品通路４に臨む固定セグメント１４および可動セグメント１３の上下方向の位置と、他方（例えば図２における右側）の商品通路４に臨む固定セグメント１４および可動セグメント１３の上下方向の位置とが、１つの仕切板状部２０の実質的な上下方向寸法分Ｍ／２（すなわち、固定セグメント１４とこの固定セグメント１４により支持された可動セグメント１３とからなる１組のセグメント１３、１４で実質的に搬送壁面部１２をなす上下方向の寸法Ｌの半分（Ｌ／２）と等しい））だけずれて配置されている。
【００３４】
これにより、仕切壁９を挟んで隣り合う商品通路４は、仕切壁９を中心として奥行方向に対して逆向き（すなわち図２に示す紙面においては左右方向に対して逆向き）とはなっているが、搬送壁面部１２を構成する可動セグメント１３および固定セグメント１４と、仕切壁９を構成する上下２つの仕切板状部２０との相対関係が上下方向および奥行方向に同様となるように構成されて、この結果、１枚の仕切壁９で仕切っているにもかかわらず、同様の蛇行形状の通路空間を有する商品通路４が形成されている。
【００３５】
また、図２に示すように、可動セグメント１３の先端の回動軌跡Ｋが、仕切壁９の仕切板状部２０の傾斜した面に間隔をあけた姿勢で沿うように配設されている。そして仕切板状部２０の傾斜した面は可動セグメント１３の先端の回動軌跡Ｋにほぼ合うように形成されている。
【００３６】
これにより、仕切板状部２０を隔てて隣接する商品通路４は、隣接する商品通路４の外側の搬送壁面部１２を構成する固定セグメント１４の突出角部１４ｃの傾斜案内面と協働して、縦に蛇行する商品通路４を構成する。この結果、商品通路４の商品通路長さＬに対してその商品通路４に適合する最大径の商品２（図２における左側部分を参照）が蛇行に必要な最小個数である２個が上下に積み上げられたときであっても、隣接する２つの商品通路４は同じ条件で確実に前後方向に蛇行する積み上げ形状を確保できるよう構成されている。この結果、可動セグメント１３の配設箇所を通過した商品２を効率よく蛇行させながら下方へ落下させることになるので、商品２の落下姿勢を安定させることができるようになっている。
【００３７】
また、図３、図８に示すように、この実施の形態においては、仕切壁９の下端に形成されて、一対の商品排出装置１１を奥行方向の前後に対して移動規制する共通の規制部５０は、下端に配設された仕切板状部２０の不連続形状部２２に続く部分がカール状に湾曲されて一体形成されている。なお、この規制部５０も側板８から両側方に突出するよう形成され、側板８に形成された係合孔８ｄ（図８（ｂ）参照）に係合されて支持されるとともに位置決めされている。また、図３における１５は、商品通路４の下端部を挟んで商品排出装置１１に対向する位置に配設された商品幅規制板、１６、１７は、商品通路４の下端部に出退自在とされた補助可動セグメントである。
【００３８】
図９、図１０に示すように（図１０（ａ）は販売待機時の状態を示し、図１０（ｂ）は商品払出時の状態を示している）、商品排出装置１１は、複数の開口窓などが形成された金属製で略箱枠形状の枠体６０と、枠体６０に略水平に支持されたアッパー支持シャフト６３により回動自在に軸支され、商品通路４内に突出することにより商品通路４の下方から２番目の商品２とこれより上方の商品２の落下を規制するアッパーストッパ６４と、枠体６０におけるアッパー支持シャフト６３の直下位置で略水平に支持されたロア支持シャフト６６により回動自在に軸支され、商品通路４内に突出することにより商品通路４内の下方から１番目（すなわち、最下端）の商品２の落下を規制するロアストッパ６７と、枠体６０における商品通路４に面しない裏面側上部に配置され、その出退部６１ａを昇降させる駆動源としての薄形のソレノイド６１と、上端がソレノイド６１の出退部６１ａに係止され、中央部に、アッパーストッパ６４を連動させる駆動手段としてのアッパー駆動シャフト６５が挿通され、下端部が、ロアストッパ６７を突出姿勢にロックするもう一つの駆動手段としてのロアロック用シャフト６８を支持し、アッパーストッパ６４を商品排出装置１１側に退避した（大部分が商品排出装置１１内に収容された）退避姿勢から商品通路４内に突出する突出姿勢にわたって回動させ、また、前記ロアロック用シャフト６８を介してロアストッパ６７を商品通路４内に突出する突出姿勢にロックさせる駆動アーム６２と、枠体６０の裏側における下方中央寄り位置に固定されて、アッパー支持シャフト６３およびロア支持シャフト６６の幅方向中央部が隙間を有した状態で回転自在に挿通されているとともにアッパー駆動シャフト６５の一端部およびロアロック用シャフト６８の一端部を昇降可能な姿勢で案内する樹脂製の案内部材６９と、ソレノイド６１の出退部１６ａを突出姿勢側に付勢するソレノイド戻しばね７０と、ロアストッパ６７を突出姿勢側に付勢するロアストッパ付勢ばね７１と、枠体６０の裏面上部に取り付けられて商品２の売切を検知するための売切検知スイッチ７２と、売切検知スイッチ７２から商品通路４内に突出するように取り付けられ、商品通路４の下方から２番目の商品２に当接して売切の有無を検知する売切検知レバー７３となどを備えている。
【００３９】
なお、この実施の形態においては、図３などに示すように、商品幅規制板１５における各商品通路４の下端部に対応する箇所に、商品通路４側に突出する突部１５ａが形成されており、アッパーストッパ６４により商品２の払出を阻止した際に、この突部１５ａによっても商品２の払出を良好に阻止できるよう構成されているが、これに限るものではない。
【００４０】
また、図９に示すように、ソレノイド６１や駆動アーム６２などは片側（図９に示すように、商品排出装置１１を背面側から見て左側）に偏って配置され、アッパーストッパ６４の駆動アーム６２との係合部分であるアッパー駆動シャフト６５、ロアロック用シャフト６８、案内部材６９、ソレノイド戻しばね７０、後述するロアストッパ６７のロアアーム部材７４などもこれに対応して片側に偏って設けられている。
【００４１】
なお、この実施の形態においては、ロアストッパ６７は、金属板（例えば、ステンレス板）などの剛性の大きな材料で形成されて最下端の商品２を受けるベース板７５と、樹脂により一体成形され、ベース板７５を受ける荷重受け部７４ａおよびこの荷重受け部７４ａから略円弧状に膨出しているアーム部７４ｂを有するロアアーム部材７４とで構成されている。
【００４２】
そして、図１０（ａ）に示すように、ソレノイド６１に通電していない状態（販売待機状態）では、ソレノイド戻しばね７０の付勢力で駆動アーム６２が下方に引っ張られ、駆動アーム６２の中央部に挿通されたアッパー駆動シャフト６５も下方側に位置してアッパーストッパ６４に形成した異形溝６４ａにおける最も奥の箇所に係合し、このアッパー駆動シャフト６５を介してアッパーストッパ６４が退避姿勢となる。また、駆動アーム６２の下部に取り付けられたロック用シャフト６８も下方側に位置して、このロック用シャフト６８がロアストッパ６４に設けられたロアアーム部材７４のアーム部７４ａ端部に当接してロアストッパ６７を突出姿勢とする。これにより、商品通路４の最下端の商品２の落下がロアストッパ６７にて規制されて商品通路４の商品２は保持される。
【００４３】
ソレノイド６１に通電すると、図１０（ｂ）に示すように、ソレノイド６１の出退部６１ａが上昇するため、駆動アーム６２が上動され、これに伴って、アッパー駆動シャフト６５およびロック用シャフト６８も上動する。アッパーストッパ６４は、その異形溝６４ａに続く当接部６４ｂがアッパー駆動シャフト６５に当接して突出姿勢となる。一方、ロック用シャフト６８がロアアーム部材７４のアーム部７４ａ端部から離脱してロアストッパ６７が退避可能な姿勢となる。これにより、商品通路４の下方より２番目の商品２の落下がアッパーストッパ６４にて規制されて商品通路４の下方より２番目より上方の商品２は保持されながら、商品通路４の最下端の商品２によりロアストッパ６７が商品通路４より退避する側に押込まれ、前記最下端の商品２の落下を規制するものがなくなってこの商品２だけが払い出される。
【００４４】
上述したように、商品排出装置１１の枠体６０には、仕切壁９の下端に一体形成された規制部５０に対して下方から上方に差し込んで固定する固定部５１が設けられている。この固定部５１は、枠体６０の上辺中央部分が断面略Ｌ字形状に屈曲して上方に延びる形状に一体形成されたフック部５１ａと、枠体６０の左辺部（および右辺部）６０ｃのそれぞれ上端部背面側に形成された凹部５１ｂとにより構成されている。そして、これらのフック部５１ａと凹部５１ｂとにより構成された固定部５１の窪みに、規制部５０が上方から入り込み、フック部５１ａと凹部５１ｂとが規制部５０の前後から当接することで、商品排出装置１１の上部側が前後方向に位置規制されている。
【００４５】
また、側板８間における商品排出装置１１が取り付けられる下端部に対応する位置には、軸体からなる下規制部５４が、側板８に固定状態で取り付けられている。そして、この下規制部５４を、枠体６０の左辺部（および右辺部）６０ｃのそれぞれ下端部近傍の背面側に一体形成された鉤状部５２ａと（なお、この鉤状部５２ａは、対となった商品排出装置１１同士を背中合わせに組付けた際に、幅方向に対して厚み分だけ互いにずれるように形成されている）、枠体６０の下辺近傍の中央部分に取り付けられた樹脂製で弾性変形自在のフック部材５２ｂとにより構成される下固定部５２により、上下から挟み込むような姿勢で取り付けて、商品排出装置１１の下部側を前後に位置規制している。なお、フック部材５２ｂは、枠体６０に一体形成された案内部材６９の下部を支持する切り起こし片部６０ｅと、枠体６０の下辺部６０ｆに形成された折曲部との間に、弾性変形させて組みつけられている。そして、下規制部５４に対して商品排出装置１１が組付けられた状態では、下固定部５２の鉤状部５２ａが下規制部５４の上半部に当接し、下固定部５２のフック部材５２ｂが下規制部５４の下半部を上方に押し上げるように付勢した状態で当接し、このれらの鉤状部５２ａとフック部材５２ｂとにより、下規制部５４を上下から挟み込むことで、商品排出装置１１の下部側を位置規制している。
【００４６】
なお、商品排出装置１１を側板８間に位置固定する場合には、図１１に簡略的に示すように、まず、仕切壁９の下端に一体形成された規制部５０に対して、フック部５１ａと凹部５１ｂとにより構成された固定部５１を斜め下方から上方（Ａ方向）に差し込み、次に、商品排出装置１１の下部をＢ方向に回動させて、フック部材５２ｂを下規制部５４に対して弾性変形させながら押込むことで容易に組付けることができる。
【００４７】
上記構成によれば、仕切壁９の下端に続くように、各商品排出装置１１の固定部５１を固定する規制部５０を一体形成したことにより、商品通路４内の商品２を商品通路４の下端部（商品排出装置１１に臨む箇所）まで支障無く導くことができる。また、仕切壁９の下端に一体形成した規制部５０により、各商品排出装置１１の固定部５１を下方から上方に差し込んで固定することにより、少ない部品点数で各商品排出装置１１を良好に位置規制することができる。すなわち、本発明によれば、仕切壁９の下端に規制部５０を一体形成したので、仕切壁９と規制部５０とを別個の部材でそれぞれ構成する場合と比較して、少ない部品点数で済ますことができ、ひいては製造コストの低減を図ることができる。
【００４８】
また、上記構成により、仕切板状部２０を隔てて隣接する商品通路４は、隣接する商品通路４の外側の搬送壁面部１２を構成する固定セグメント１４の突出角部１４ｃの傾斜案内面と協働して、縦に蛇行する商品通路４を構成する。この結果、商品通路４の商品通路長さＬに対してその商品通路４に適合する最大径の商品２（図２における左側部分を参照）が蛇行に必要な最小個数である２個が上下に積み上げられたときであっても、隣接する２つの商品通路４は同じ条件で確実に前後方向に蛇行する積み上げ形状を確保できる。この結果、可動セグメント１３の配設箇所を通過した商品２を効率よく蛇行させながら下方へ落下させることになるので、商品の落下姿勢を一層安定させることができる。
【００４９】
さらに、上記構成によれば、奥行方向に隣り合う一対の商品通路４の間を１枚の仕切壁９で仕切ったことにより、１つの収納搬送路を個別の１対の搬送壁面部で構成した場合に比べて、２つの搬送壁面部間の奥行方向の隙間が発生しない分だけ、省スペース化を図ることができながら、仕切壁９を構成する仕切板状部２０に湾曲断面形状の湾曲部２１を形成し、各湾曲部２１の湾曲中心が側面視して斜め上方に向く姿勢となるように配設したことにより、商品２が商品通路４を流れる際に、商品２が可動セグメント１３で受けられるだけでなく、仕切板状部２０の湾曲部２１によっても商品の落下エネルギの一部が受けられることとなり、この結果、壁面単位部として側面視して直線状のものを用いた場合と比較して、商品２の落下衝撃を良好に吸収できて、商品２の姿勢もより良好に制御できることとなる。
【００５０】
また、１つの固定セグメント１４とこの固定セグメント１４により支持された可動セグメント１３とからなる１組のセグメント１３、１４で実質的に搬送壁面部１２をなす上下方向の寸法Ｌと、上下につながる２つの仕切板状部２０によって実質的に仕切壁９をなす上下方向の寸法Ｍとが同一とされ、同じ仕切壁９に対向する固定セグメント１４および可動セグメント１３の上下方向の位置が、１つの仕切板状部２０の実質的な上下方向寸法分Ｍ／２だけずれて配置されていることで、１枚の仕切壁９を挟んで、実質的に同様の蛇行形状の通路空間を有する商品通路４を良好に形成することができる。また、可動セグメント１３が最も外側に回動した状態での可動セグメント１３の幅方向両端の鍔部における外側端部１３ｃと、固定セグメント１４のＵ字形状部１４ｂの外側部分１４ｂ’とが、奥行方向に関してほぼ同一位置とされているので、この可動セグメント１３と固定セグメント１４からなる、商品通路４の外側の搬送壁面部１２を隣接して配置するに際し、隙間なく配設することができる。
【００５１】
また、上記構成によれば、可動セグメント１３の先端の回動軌跡Ｋが、仕切壁９の仕切板状部２０の傾斜した面に沿うように配設されているので、可動セグメント１３の商品通路４内への突出量を極めて大きくすることができ、これにより、商品の落下衝撃力を、より一層、良好に減少させたり、姿勢を制御したりでき、信頼性が向上する。また、突出量を大きくできながら、可動セグメント１３が回動した場合でも、仕切壁９の仕切板状部２０に対して間隔をあけた姿勢であるので、可動セグメント１３と仕切板状部２０との当接により騒音が発生することが無い。
【００５２】
また、上記実施の形態では、仕切壁９を構成する仕切板状部２０として、搬送路幅ガイド１６が移動できる範囲に対応する箇所だけ、通気性を高めるために、大きな通気孔３２が形成されているものを用いているが、これに限るものではなく、単に、仕切板状部２０の全面に同様な形状の通気孔３１を形成してもよい。
【００５３】
次に、図１２は本発明の他の実施の形態に係る自動販売機の商品収納搬送装置が設けられている商品収納部の全体側面断面図である。
この実施の形態でも、側板８間の奥行方向に隣り合う対となった商品通路４の間は、所定幅で上下方向に延びる１つの仕切壁９で仕切られている。また、商品通路４の下端部間、すなわち、仕切壁９の下方には、仕切壁９の下端部に続くようにして、一対の商品払出ユニット１０を互いに背中合わせの状態で配置してなる商品排出装置１１が配設されており、商品排出装置１１によって、商品通路４の商品２が順次下方から１つずつ払い出されるよう構成されている。
【００５４】
しかし、この実施の形態では、図１３、図１５に示すように、仕切壁９は、側板８間で、それぞれ単体で設けられている複数の仕切板状部２０を、側面視して逆の向きに傾斜するように蛇行状、いわゆるジグザグ状に繋いだ配置構成としている。仕切板状部２０には、側面視して湾曲断面形状の湾曲部２１が形成されており、各湾曲部２１の湾曲中心２１ａが側面視して斜め上方に向く姿勢となるように配設されている。また、仕切板状部２０の上端と下端とにはそれぞれカール部２０ｄ、２０ｅが形成されており、仕切板状部２０としての強度が高められている。なお、仕切板状部２０の上端のカール部（上カール部と称す）２０ｄは図１５（ａ）に示すように、略丸形状（厳密には先端部分のみ隙間がある形状）にカールされている一方、仕切板状部２０の下端のカール部（下カール部と称す）２０ｅは上方に開口する略Ｕ字形状に湾曲されている。そして、図１３等に示すように、下カール部２０ｅ内に、この下方の仕切板状部２０の上カール部２０ｄの下半部が嵌め込まれた姿勢で接続されている。
【００５５】
また、仕切板状部２０の上カール部２０ｄよりも少し下方の箇所には、前記上カール部２０ｄの湾曲方向と同様の前後寸法で段差を有する段付き部２０ｆが形成されている。また、この実施の形態では、湾曲部２１は仕切板状部２０の下部に形成されているが、この湾曲部２１の下端部から真下に延びるように屈曲して下カール部２０ｅが形成されている。また、仕切板状部２０における、上下のカール部２０ｄ、２０ｅおよび段付き部２０ｆを除いた箇所には、仕切板状部２０の幅方向に対して所定間隔毎に凹凸形状となるように形成されて、仕切板状部２０自体の剛性を向上させるよう図られている。また、隣接する商品通路４間で、多数の通気孔３１が形成され、これによって商品充填時や払出時の仕切板状部２０の振動による騒音を低減できるように構成されている。つまり、商品充填時や払出時に仕切板状部２０の振動により騒音が発生する場合には、仕切板状部２０の表面側と裏面側とで、位相が１８０度異なる空気の振動が発生していることとなるが、この振動が通気孔３１を通じてお互いに打ち消されることとなるので、これにより、振動による騒音を低減できる。なお、この実施の形態では、外形および曲げ形状が同一で、抜き孔形状のみ左右対称の仕切板状部２０を上下に連結し、搬送路幅ガイド１６が移動できる範囲に対応する箇所（図１５（ｂ）における右寄りの範囲）には、通気性を高めるために、大きな通気孔３２が形成されているが、これに限るものではなく、他の部分と同様の形状としてもよい。
【００５６】
また、この実施の形態においては、図１５（ｂ）に示すように、仕切板状部２０の上カール部２０ｄの箇所（厳密には、上カール部２０ｄとこの上カール部２０ｄに続く近傍部分）だけ、両側方（幅方向）に突出するように形成されており、この突出部２０ｇが、側板８に形成された孔部（図示せず）に突出部２０ｇが差し込まれて、仕切板状部２０が側板８間で支持されている。
【００５７】
なお、固定セグメント１４と可動セグメント１３とを上下に交互に接続して搬送壁面部１２をなす構成や、搬送壁面部１２と仕切壁９との配置構成、また、商品排出装置１１の構成は、図１から図１０に示す上記実施の形態と同様である。
【００５８】
一方、この実施の形態においては、図１４および図１６に示すように、仕切壁９の下端部に、前方の（仕切壁９に前方から臨む）商品通路４の商品２を前方に、後方の（仕切壁９に後方から臨む）商品通路４の商品２を後方にそれぞれ誘導する傾斜面８０ａ，８０ｂを設けた単一の商品誘導部材８０を組みつけている。また、この商品誘導部材８０に、前方の商品通路４の商品排出装置１１と後方の商品通路４の商品排出装置１１とを奥行方向（すなわち前後方向）に移動規制する共通の規制部８１を、前後の傾斜面８０ａ，８０ｂの下端部を接続する下面に設けている。そして、各商品排出装置１１に規制部８１に対して下方から上方に差し込んで固定する固定部５１を設けている。
【００５９】
ここで、この実施の形態においては、図１６（ａ）、（ｂ）に示すように、一方の傾斜面８０ｂの上端に形成されたカール部８０ｄが、仕切壁９の下端部に配設されている仕切板状部２０の湾曲部２１の背面に当接する姿勢で配設されている。また、仕切壁９の下端部に配設されている仕切板状部２０の湾曲部２１から下方に続く下縁部２３が、側面視して、カール部８０ｃ、８０ｄ間および傾斜面８０ａ，８０ｂ間に突入され、規制部８１の内側に当接する姿勢で配設されている。また、規制部８１は、単一の商品誘導部材８０の前後の傾斜面８０ａ，８０ｂの下端部同士を接続する下面８０ｅの中央部において略Ｕ字形状に下方に突出するように一体形成されている。なお、図示しないが、商品誘導部材８０は、カール部８０ｃ、８０ｄおよび規制部８１の部分で両側方に突出するように形成されており、この突出部が、側板８に形成された孔部（図示せず）に差し込まれ係合されて、側板８間で支持されている。また、商品誘導部材８０の傾斜面８０ａ，８０ｂはこれらの傾斜面８０ａ，８０ｂにより下方ほど広がり、その下端部が対となって組みつけられる商品排出装置１１の前後方向の厚みに近くて略対応する形状に形成されている。また、一方の傾斜面８０ｂは、下端の仕切板状部２０における湾曲部２１の背面側から、背面側に向けて斜め下方に延びるように形成され、他方の傾斜面８０ａは、下端の仕切板状部２０における湾曲部２１の下端部に略同様の傾斜角度で続くように形成されている。
【００６０】
また特に、本発明においては、前方の商品通路４に突出して商品２を案内する案内面８２ａと後方の商品通路４に突出して商品２を案内する案内面８２ｂとを有する板ばねからなるガイド材８２を設けている。このガイド材８２は、案内面８２ａ、８２ｂ同士の上端部を、商品誘導部材８０の規制部８１と同様な形状の連結部８２ｃで繋いだ形状とされ、図１６（ｃ）に示すように、その弾性力により規制部８１に下側から外装するように装着し、更にその外側に対して各商品排出装置１１の固定部５１を下方から上方に差し込んで固定する構成とされている。
【００６１】
この構成により、単一の商品誘導部材８０に設けた前面側の傾斜面８０ａにより前方の商品通路４の商品２を前方に誘導し、また後面側の傾斜面８０ｂにより後方の商品通路４の商品２を後方に誘導することができ、前方の商品通路４の商品２を前方に誘導する案内部品と後方の商品通路４の商品２を後方に誘導する案内部品とをそれぞれ個別に設けた場合に比べて部品点数を削減できる。また、この単一の商品誘導部材８０の前後の傾斜面８０ａ、８０ｂの下端部を接続する下面に共通の規制部８１を設けたので、個別に規制部を設けた場合よりも部品点数を削減できる。
【００６２】
また、上記構成により、商品通路４の下端部に導入された商品４をガイド材８２の案内面８０ａ、８０ｂによって案内させることができ、また、単一のガイド材８２で前方の商品通路４の商品２と後方の商品通路４の商品２とをそれぞれ案内できて、案内面を有するガイド材を個別に設けた場合よりも部品点数を削減できる。また、弾性力を利用して装着できるように構成したことにより、取り付け構造も簡単となり、容易に取り付けることができて作業能率が向上する。
【００６３】
さらに、商品通路４に商品２が殆どない状態で投入された際に、商品通路４の下端部に商品２が斜めになりそうな姿勢で流れ込んできた場合でも、板ばねからなるガイド材８２の弾性力により商品２の姿勢を水平な姿勢に良好に矯正することができ、商品２が立った状態で収納されてしまう、いわゆる商品立ちを防止することができ、この結果、信頼性を向上させることができる。
【００６４】
また、メンテナンスなどのために商品排出装置１１を取り外して、この後に再度取り付け直す際には、ガイド材８２を規制部８１に取り付けた状態で、その後に手探りで商品排出装置１１を下方から挿入して取り付けることとなるが、この場合に、ガイド材８２の下面側に商品排出装置１１を沿わせるようにして持ち上げることで、このガイド材８２の案内面８２ａ、８２ｂ裏面（下面）によって商品排出装置１１の上端部が取付位置まで良好に案内されて容易に組付けることができて、便利であり作業能率が向上する。
【００６５】
また、上記実施の形態では、仕切壁９を構成する仕切板状部２０として、搬送路幅ガイド１６が移動できる範囲に対応する箇所だけ、通気性を高めるために、大きな通気孔２２が形成されているものを用いたため、断面形状が同じである２種類の仕切板状部２０を上下に繋いで構成しているが、これに限るものではなく、通気孔の形状も含めて同形状の１種類の仕切板状部２０を左右に逆向きの姿勢で連結することにより仕切壁９を構成してもよい。この構成によれば、仕切板状部２０を１種類で済ますことができ、部品の種類を最低限に抑えることができて、さらに製造コストを低減させることができる。
【００６６】
さらに、図１４、図１６に示すガイド材８２と同様の構造のガイド材８２を、図１〜図１１に示す自動販売機の商品収納搬送装置において装着してもよい。すなわち、図１７に示すように、前側の案内面８２ａと後側の案内面８２ｂとを有する板ばねからなるガイド材８２を、仕切壁９の下端に設けられた商品排出装置位置規制用の規制部５０に、その弾性力により下側から外装するように装着し、更にその外側に対して各商品排出装置１１の固定部５１を下方から上方に差し込んで固定してもよい。これによっても、図１４、図１６に示す上記実施の形態のガイド材８２と同様の作用効果を得ることができる。
【図面の簡単な説明】
【００６７】
【図１】本発明の実施の形態に係る自動販売機の商品収納搬送装置が設けられる商品収納部の全体側面断面図である。
【図２】同自動販売機の商品収納部の中央部の側面図である。
【図３】同自動販売機の商品収納部の下部の側面図である。
【図４】（ａ）および（ｂ）は同自動販売機の商品収納搬送装置における仕切板状部の側面図および正面図である。
【図５】（ａ）および（ｂ）は同商品収納搬送装置における他の変形例としての仕切板状部の側面図および正面図である。
【図６】（ａ）および（ｂ）は同商品収納搬送装置における固定セグメントの側面図および正面図である。
【図７】（ａ）および（ｂ）は同商品収納搬送装置における可動セグメントの側面図および正面図である。
【図８】（ａ）および（ｂ）は同商品収納搬送装置における下端の仕切板状部の側面図および正面図である。
【図９】同商品収納搬送装置の商品排出装置の背面図である。
【図１０】（ａ）および（ｂ）は同商品収納搬送装置の商品排出装置の動作を説明するための概略的な側面図で、（ａ）は販売待機時、（ｂ）はソレノイド通電時の状態を示す。
【図１１】同商品収納搬送装置の商品排出装置の取付動作を示す側面図である。
【図１２】本発明の他の実施の形態に係る自動販売機の商品収納搬送装置が設けられる商品収納部の全体側面断面図である。
【図１３】同自動販売機の商品収納部の中央部の側面図である。
【図１４】同自動販売機の商品収納部の下部の側面図である。
【図１５】（ａ）および（ｂ）は同自動販売機の商品収納搬送装置における仕切板状部の側面図および正面図である。
【図１６】（ａ）〜（ｄ）はそれぞれ、同自動販売機の商品収納搬送装置における仕切壁の下端部に商品誘導部材やガイド材、商品排出装置の組付け手順を示す側面図である。
【図１７】さらに他の実施の形態に係る自動販売機の商品収納部の下部の側面図である。
【符号の説明】
【００６８】
１      商品収納部
２      商品
４      商品通路
８      側板
９      仕切壁
１１    商品排出装置
１２    搬送壁面部
１３    可動セグメント
１４    固定セグメント
２０    仕切板状体
２１    湾曲部
５０    規制部
５１    固定部
５１ａ  フック部
５１ｂ  凹部
５４    下規制部
５２    下固定部
５２ａ    鉤状部
５２ｂ    フック部材
６０    枠体
８０    商品誘導部材
８０ａ，８０ｂ    傾斜面
８１    規制部
８２    ガイド材
８２ａ、８２ｂ    案内面
８２ｃ    連結部
【図１】
2007233877.tif 000003
【図２】
2007233877.tif 000004
【図３】
2007233877.tif 000005
【図４】
2007233877.tif 000006
【図５】
2007233877.tif 000007
【図６】
2007233877.tif 000008
【図７】
2007233877.tif 000009
【図８】
2007233877.tif 000010
【図９】
2007233877.tif 000011
【図１０】
2007233877.tif 000012
【図１１】
2007233877.tif 000013
【図１２】
2007233877.tif 000014
【図１３】
2007233877.tif 000015
【図１４】
2007233877.tif 000016
【図１５】
2007233877.tif 000017
【図１６】
2007233877.tif 000018
【図１７】
2007233877.tif 000019